(57)【要約】【課題】収納棚の側面もしくは前面に、棚板と棚板の上方の落下防止バーから成る収納部を多段状に備えた収納具を取付け、側方又は前方のスペースを収納のために有効活用し、収納力を向上させる。【解決手段】浴室収納部材１は、浴室壁面２に上下方向に間隔をおいて取り付けられる複数の収納棚３と、複数の収納棚３に固定される収納具４を備えており、複数の収納棚３はその側面７もしくは前面８が平面視で揃えられるように位置しており、収納具４の裏面に設けた引っ掛け具によって、収納棚３の側面７もしくは前面８に引っ掛けて固定し、収納具４は、壁部１１、落下防止バー２８、３５及び棚板２９、３７を備え、棚板前端部よりも落下防止バーが２８、３５の前端部が壁部１１から離れた位置に設けられている。【選択図】図１
2015084784.tif 000002
【特許請求の範囲】
【請求項１】
浴室壁面に取り付けられる複数の収納棚と、複数の収納棚に固定される収納具とからなる浴室収納部材であって、複数の収納棚はそれぞれの収納棚の側面もしくは前面が上下方向に略同一平面に位置しており、収納棚の側面もしくは前面に収納具が引っ掛けて固定され、収納具が複数の収納棚にまたがっていることを特徴とする浴室収納部材。
【請求項２】
請求項１に記載の浴室収納部材であって、収納具の裏面の上下方向に複数の引っ掛け固定部が設けられ、いずれかの引っ掛け固定部に引っ掛け具が備えられていることを特徴とする浴室収納部材。
【請求項３】
請求項１または２に記載の浴室収納部材であって、収納具は、壁部と棚板と落下防止バーを備え、棚板前端部よりも落下防止バーが壁部から離れた位置に設けられていることを特徴とする浴室収納部材。
【請求項４】
請求項１から３のいずれかに記載の浴室収納部材であって、収納具はフックを備えていることを特徴とする浴室収納部材。
【請求項５】
請求項１から４のいずれかに記載の浴室収納部材であって、収納棚の側面に設けられた収納具の収納棚前面側の側面端部に連結具を備え、連結具で別の収納具を連結することを特徴とする浴室収納部材。
【発明の詳細な説明】
【技術分野】
【０００１】
本発明は、収納棚と、収納棚の側面もしくは前面に取り付けられた収納具を備えた浴室収納部材に関する。
【背景技術】
【０００２】
収納棚を取り付けるスペースは限られており、家族の人数が多いことや、使用する小物が多いなどの理由から収納棚の量が不足してしまう場合がある。このような場合、収納棚以外の場所に置いてしまう場合があり、室内が散らかった状態になってしまう。家族構成や使用する小物の変化があった場合にも同様に上記の状態になってしまう場合がある。
【０００３】
収納棚を増やす場合、壁のスペースが限られているため、床置きタイプのラックが多く使用され、多く市販されているが、 床を覆つてしまい、動作スペースの減少、床掃除の手間の増加などが発生してしまう。
【０００４】
シャンプーボトルなどの大型製品と、チューブや髭刺りなどの小型、細型の小物製品を一括して収納しておくと、どちらかの使用の際に邪魔になったり、落としてしまったりする場合があり、使用性が悪い。
【０００５】
また、掃除用品などは目立つため、正面に設置されているメインの収納棚へ収納することを避けたいが、他に収納する場所が無いため、 仕方なく収納するか、 わざわざ室外に出している場合がある。
【０００６】
従来、収納棚の側面にフックや棚を設け、収納棚だけでなく、これらのフックや棚に物品を掛けたり、収納する構成は知られている。
【０００７】
例えば、収納部の側面に、サイドフックを着脱可能に取り付けることのできる収納ラックが知られている（特許文献１参照）。側面に、小物用棚体を配設した浴室用収納棚が知られている（特許文献２参照）。浴室の側壁に固定した浴室用壁掛本体に、シャワーヘッドを係止可能な開口環を先端に備えた腕杆を、側方に突出するように取り付けることのできる構成が知られている（特許文献３参照）。
【０００８】
また、収納棚の側面に設けた棚ではないが、多段に設けられた複数の棚が知られている。例えば、略水平に形成した上位収納体の底板と、下面を後方下方傾斜するように形成した下位収納体の天板を重合して棚部を形成してなり、底板の上方に底板の外形状に沿ったバー材を有する水廻り用収納棚が知られている（特許文献４参照）。
【先行技術文献】
【特許文献】
【０００９】
【特許文献１】実用新案登録第３１７１８５１号公報
【特許文献２】特開２００２−０４５２４９号公報
【特許文献３】特開２０００−０２３８６９号公報
【特許文献４】実開平３−４６６４８号公報
【発明の概要】
【発明が解決しようとする課題】
【００１０】
上記のとおり、収納棚の側面にフックや棚等の収納具を設け、収納棚だけでなく、これらのフックや棚に物品を掛けたり、収納する構成は知られている。しかしながら、特許文献１記載のフックや特許文献３記載の開口環の場合は、引っ掛けたりするための部分が必要であったり、装着できる形状でなくてはならず、収納する物品はある程度、限られている。特許文献２記載の側面に取り付けられた棚は、一段であり収納量は少ない。
【００１１】
ところで、特許文献４には、複数の棚が多段に設けられている水廻り用の収納棚が記載されているが、複数の棚は、底板の上方に底板の外形状に沿ったバー材を有する構成であり、物品を棚の上に収納したり取り出したりする場合は、バー材及び底板の上方からしかアプローチできず、ある程度高さのある物品であると、収納したり取り出しにくいという問題がある。
【００１２】
本発明は、収納棚に収納具を装着できるようにした従来の浴室収納部材における問題を解決することを目的とするものであり、簡単な構造であって、スペースの有効活用をはかり収納力を向上させ、しかも使用者にとって収納や取り出しがし易い収納具を、収納棚の側面もしくは前面に設けて成る浴室収納部材実現することを課題とする。
【課題を解決するための手段】
【００１３】
本発明は上記課題を解決するために、浴室壁面に取り付けられる複数の収納棚と、複数の収納棚に固定される収納具とからなる浴室収納部材であって、複数の収納棚はそれぞれの収納棚の側面もしくは前面が上下方向に略同一平面に位置しており、収納棚の側面もしくは前面に収納具が引っ掛けて固定され、収納具が複数の収納棚にまたがっていることを特徴とする浴室収納部材を提供する。
【００１４】
収納具の裏面の上下方向に複数の引っ掛け固定部が設けられ、いずれかの引っ掛け固定部に引っ掛け具が備えられていることが好ましい。
【００１５】
収納具は、壁部と棚板と落下防止バーを備え、棚板前端部よりも落下防止バーが壁部から離れた位置に設けられていることが好ましい。
【００１６】
収納具はフックを備えていることが好ましい。
【００１７】
収納棚の側面に設けられた収納具の収納棚前面側の側面端部に連結具を備え、連結具で別の収納具を連結することが好ましい。
【発明の効果】
【００１８】
本発明に係る浴室収納部材は、複数の収納棚の側面もしくは前面を上下方向に略同一平面に位置させて、これら側面もしくは前面に収納具を引っ掛け、複数の収納棚にまたがって固定する構成としたので、収納力を向上させることができるとともに、収納棚の側方又は前方のスペースを収納のために有効活用をはかることができる。
【図面の簡単な説明】
【００１９】
【図１】（ａ）は本発明に係る浴室収納部材の実施例１の全体構成を示す斜視図であり、（ｂ）は実施例１の要部を説明する断面図であり、（ｃ）はその要部の別の構成例を示す断面図であり、（ｄ）はさらに別の構成例を示す断面図である。
【図２】（ａ）は上記実施例１の収納具の下部収納部を説明する図であり、（ｂ）、（ｃ）は下部収納部への収納の仕方を説明する図であり、（ｄ）は上部収納部と下部収納部へ物品を収納する場合の問題を説明する図である。
【図３】（ａ）、（ｂ）は上記実施例１の収納具の上部収納部に物品を収納する仕方を説明する図であり、（ｃ）は上部収納部へ物品を収納する場合の問題を説明する図である。
【図４】上記実施例１の収納具に物品を収納した使用状態を説明する斜視図である。
【図５】（ａ）、（ｂ）は、上記実施例１の収納具に物品を収納した使用状態を説明する斜視図である。
【図６】本発明に係る浴室収納部材の実施例２の使用状態も含めた全体構成を示す斜視図である。
【図７】上記実施例２の収納具の構成を示す斜視図である。
【図８】本発明に係る浴室収納部材の実施例３の使用状態も含めた全体構成を示す斜視図である。
【図９】上記実施例３の収納具の構成を示す斜視図である。
【図１０】本発明に係る浴室収納部材の実施例４の使用状態も含めた構成を示す斜視図である。
【発明を実施するための形態】
【００２０】
本発明に係る浴室収納部材を実施するための形態を実施例に基づき図面を参照して、以下説明する。
【実施例】
【００２１】
（実施例１）                                          
図１（ａ）に示すように、本発明に係る浴室収納部材１は、浴室壁面２に取り付けられる複数の収納棚３と、複数の収納棚３に固定される収納具４とを備えている。５は鏡である。
【００２２】
複数の収納棚３は、それぞれの収納棚３の側面７もしくは前面８が上下方向に略同一平面に位置する（それぞれの収納棚３の側面７もしくは前面８が略同一の垂直な平面に位置する。換言すると、収納棚３の側面７もしくは前面８が平面視で直線上に略揃えられた位置になる）ように、浴室壁面２等に、上下方向に間隔を置いてビス等で固定して取り付けられている。
【００２３】
収納具４は、複数の収納棚３にまたがって、収納棚３の側面７もしくは前面８に引っ掛けて固定される。収納具４は、壁部１１、引っ掛け固定部１２及び各種物品の収納に必要な収納手段１３が一体に形成されて設けられている。壁部１１は板材で形成されている。
【００２４】
引っ掛け固定部１２は、１つ又は上下方向に複数設けられ、それぞれフック状の引っ掛け具１４を備えている。収納手段１３としては、本実施例１では、収納部（後記する上部収納部と下部収納部）１７、スポンジ挟み込み部１８及び物品を引っ掛けるための引っ掛け部１９を備えている。
【００２５】
引っ掛け具１４は、壁部１１の上端に、図１（ｂ）に示すように形成されており、この引っ掛け具１４を収納棚３の側壁２２の上縁に掛けることで、壁部１１を収納棚３の側面７に取り付けることが可能となる。図１（ｃ）は別の構成例を示すが、引っ掛け具１４を壁部１１の裏面に複数設け、上段の収納棚３に対してだけでなく、下段の収納棚３の側壁２２の上縁にも掛ける構成としてもよい。
【００２６】
複数の引っ掛け具１４を、壁部１１の裏面の上下方向に異なる複数の位置に設けると、収納棚３に対する壁部１１の引っ掛け具１４による取付け位置を上下方向に適宜変えることで、収納棚３に対する壁部１１の上下方向の位置を調整できる。
【００２７】
また、図示はしないが、引っ掛け具１４を、壁部１１に対して上下左右方向に調整して着脱可能な構成とすれば、横幅が異なる等の様々寸法の収納棚３に対応して、その取付け位置を適宜調整して取り付けることができる。
【００２８】
図１（ｄ）は、さらに別の引っ掛け具１４の構成例を示すが、クランク状の係合片２３を介して収納棚３に掛ける構成としてもよい。１個又は複数個の係合片２３を、収納棚３の奥行き方向（横幅方向）の位置に適宜移動し調整して取り付けることで、壁部１１を、収納棚３の側壁２２の横幅の大小に対応し、安定して取り付けることが可能となる。
【００２９】
なお、係合片２３を用いる場合も、図示はしないが、引っ掛け具１４と係合片２３を、上段の収納棚３に対してだけでなく、下段の収納棚３に対しても設ける構成としてもよく、また、収納棚３に対する壁部１１の上下方向の位置を調整できる構成としてもよい。
【００３０】
収納部１７は、図１（ａ）に示すように、壁部１１の外面に一体に形成されており、落下防止用の落下防止バーとその下方の棚板とから成る。本実施例１では、収納部１７として、上部収納部２６と下部収納部２７を備えている。
【００３１】
上部収納部２６は、物品が落下することを防止するための落下防止バー２８と棚板２９とから成る。落下防止バー２８は、壁部１１から外側水平方向に張り出したＵ字型部３０と矩形部３１を一体的に備え、それぞれ収納スペースを形成している。
【００３２】
Ｕ字型部３０で形成する収納スペースは、例えば、シャンプー等を入れた円筒状の容器（図４参照）を支持し、その落下防止に適しており、矩形部３１で形成する収納スペースは、例えば、ひげ剃り等の小物物品（図４参照）を支持し、その落下防止に適している。
【００３３】
上部収納部２６において、落下防止バー２８は、そのＵ字型部３０の前端部３２及び矩形部３１の前端部３３が、それぞれ棚板２９の前端部３４よりも壁部１１から離れた位置になるように、設けられている。即ち、図１（ａ）に示すように、落下防止バーのＵ字型部３０と矩形部３１の外側水平方向への張り出し幅W１、W２は、棚板２９の外側水平方向への張り出し幅W３より大きく形成されている。
【００３４】
下部収納部２７は、落下防止用の落下防止バー３５と棚板３７から成る。落下防止バー３５は、壁部１１から外側水平方向に張り出し、平面視で略コの字型に形成されている。下部収納部２７においても、落下防止バー３５は、その前端部３６が、棚板３７の前端部３８よりも壁部１１から離れた位置になるように設けられている。
【００３５】
即ち、図１（ａ）、図２（ａ）に示すように、上部収納部２６と同様に、落下防止バー３５の外側水平方向への張り出し幅W４は、棚板３７の外側水平方向の張り出し幅W５より大きく形成されている。
【００３６】
このように、落下防止バー２８、３５の外側水平方向への張り出し幅W１、W２、W４を、棚板２９、３７の外側水平方向への張り出し幅W３、W５より大きく形成することで、後記するが、物品を下方から落下防止バー２８、３５へ挿入し、棚板２９、３７上に載置し易くなる。
【００３７】
なお、上部収納部２６及び下部収納部２７における落下防止バー２８、３５は、それぞれ壁部１１とともに一体成形するが、その際に、金型を差し込んだ金型抜き孔４１、４２が、壁部１１に透孔として形成される。
【００３８】
スポンジ挟み込み部１８は、上下２枚の挟み込み板４３を備えている。図５（ｂ）において、上下２枚の挟み込み板４３の間の間隔ｄは、市販の洗浄用のスポンジ４４の厚さｔより若干小さくすることで、挟み込んだスポンジ４４が側方にずれて落下するようなことが防止できる。
【００３９】
また、２枚の挟み込み板４３には、それぞれその先端上面に凸部４５が形成されており、スポンジ４４以外の物品を掛ける場合に使用される。即ち、凸部４５に、図示しないが、物品に付けられた紐を掛ることで、その物品を凸部４５に簡単に掛けることができる。
【００４０】
スポンジ挟み込み部１８に隣接して、図１（ａ）、図５（ａ）、（ｂ）に示すように、引っ掛け部１９が形成されている。この引っ掛け部１９は、矩形の孔４９を備えており、図５（ａ）に示すように、例えば、スプレー５０を、そのハンドルを孔４９に係合して掛けることができる。上記凸部４５及び引っ掛け部１９は、収納具４において、物品を掛けるためのフックとして機能する。
【００４１】
収納具４は、上記のとおり、壁部１１と、引っ掛け具１４と、各種の物品の収納に必要な収納手段１３と、が一体に形成されているが、壁部１１に対して、引っ掛け具１４及び収納手段１３を、別体で形成して、必要に応じて、引っ掛け具１４及び収納手段１３を壁部１１に組み付けて取り付ける構成としてもよい。
【００４２】
特に、落下防止バー２８、３５に対して、落下防止バー２８、３５に対応する棚板２９、３７を、壁部１１に上下調整自在に装着可能な構成とすることで、収納する物品の長さに対応して適切な落下防止バーと棚板の組み合わせを得ることが可能となる。
【００４３】
なお、図示はしないが、壁部１１の外面には、収納される物品を覆うことのできるカバー状の扉を、ヒンジで開閉可能に取り付ける構成としてもよい。そのような構成とすれば、例えば、歯ブラシ等を埃が付きにくいようにし、また収納具の見栄えもスマートとなる。また、壁部１１をその長手方向に伸縮して長さを調整するような構成としてもよい。
【００４４】
（作用）
上記構成から成る浴室収納部材１の使用態様を通して、その作用を説明し、本発明の構成をより明確にする。下部収納部２７に、例えば、歯磨き入りチューブやクリーム入りチューブ等のチューブ５１を収納する場合には、図２（ｂ）に示すように、チューブ５１の底側を、落下防止バー３５に下方から挿入していき、チューブ５１の蓋部を棚板３７上に載置する。棚板３７に載置されたチューブ５１は、図２（ｃ）、図４に示すように、落下防止バー３５で拘束され、落下することなく収納される。
【００４５】
図２（ｄ）に示すように、上部収納部２６と下部収納部２７の間隔が比較的小さい場合は、上部収納部２６にすでに円筒状の容器５２が収納されていると、チューブ５１は、上方から収納しようとしても容器５２に当たってしまい、収納しづらい。
【００４６】
しかしながら、本発明における収納具４は、棚板３７の張り出し幅W５が落下防止バー３５の張り出し幅W４より小さく、落下防止バー３５内に、上記のとおり下方から挿入しやすい構成となっているので、図２（ｄ）に示すような場合であっても、上記のとおり、チューブ５１を、落下防止バー３５内に下方からスムースに挿入できるので、収納や取り出し作業がし易くなる。
【００４７】
上部収納部２６に、例えば、シャンプー等を入れた円筒状の容器５２を収納する場合も略同様であり、円筒状の容器５２の蓋側を、図３（ａ）に示すように、落下防止バー２８のＵ字型部３０内に下方から挿入していき、容器５２の底部を棚板２９上に載置する。棚板２９に載置された容器５２は、図３（ｂ）、図４に示すように、落下防止バー２８で拘束され、落下することなく収納される。
【００４８】
図３（ｃ）に示すように、容器５２を上方から落下防止バー２８のＵ字型部３０内に挿入する場合は、通常、容器５２の上部を持って挿入してから手を放すが、容器５２は下部の方が重くぶらつきやすいために、容器５２内に挿入しにくく、また挿入の途中で手を放すと容器５２は落下して棚板２９を破損したりすることもある。
【００４９】
本発明の収納具４は、上記のとおり棚板２９の張り出し幅Ｗ３が落下防止バー２８のＵ字型部３０の張り出し幅Ｗ１より小さく、落下防止バー２８のＵ字型部３０内に下方から挿入しやすい構成となっているので、容器５２の下部を持って下方からぶれることなくＵ字型部３０内に挿入でき、また容器５２を、棚板２９上に落下させずに収納することが可能となる。
【００５０】
上部収納部２６の落下防止バー２８の矩形部３１には、図４に示すように、ひげ剃り５３等の小物物品を収納することができる。また、図４及び図５（ｂ）に示すように、スポンジ挟み込み部１８の上下２枚の挟み込み板４３内に、スポンジ４４を挟み込んで収納することができる。
【００５１】
収納具４には、主に、比較的小さな寸法の小物物品を収納し、収納棚３には比較的大きな寸法の物品を収納すれば、大小の物品を区分整理して収納ができ、互いに邪魔になったりすることを防止できるという効果が生じる。
【００５２】
収納具４は、収納棚３と浴室壁（図示はしないが、図１において収納棚の右側方に位置する浴室壁面２に垂直な側壁）の間であって収納棚３の側面に取り付ければ、収納棚３の側方のスペースを収納のために有効利用して収納量を増加することが可能となり、物品を床の上に置くようなことなく、床を整然とすることができる。
【００５３】
実施例１の浴室収納部材１によれば、収納具４に収納される物品は側方を向いて正面に現れないために、例えば、収納具４に掃除用具を収納した場合は、掃除用具などが正面に見えたりして見栄えを悪くするようなことがない。
【００５４】
上記実施例１では、収納具４を浴室等の壁面に取り付けられた収納棚３の側面に掛ける態様を説明したが、実施例１では図示はしないが、収納棚３の側面ではなく、収納棚３の前面の一部に掛けるようにして使用する態様でもよい。そして、収納具４は、すでに浴室壁面２に取付けられている既設の収納棚３の側面にも取り付けることができる。
【００５５】
また、収納具４自体については、収納棚３の代わりとなる被取付け部材を、浴槽のエプロンや浴室のドア等、別の場所に設置して、使用時にその場所に移動して掛けるような構成としてもよい。そのような構成とすると、収納具４の設置場所の自由度が増すこととなる。
【００５６】
（実施例２）
本発明に係る浴室収納部材の実施例２を図６及び図７において説明する。この実施例２の浴室収納部材６１は、その概要は、実施例１の浴室収納部材１において、その収納具４と略同じ構成の収納具（以下、「第１の収納具６２」という）に、図６及び図７に示すように、別の収納具（第２の収納具６３）を水平回動自在に連結したものである。
【００５７】
実施例２の浴室収納部材６１では、第１の収納具６２は、図６に示すように複数の収納棚３の側面に取り付けられている。第１の収納具６２は、図６及び図７に示すように、実施例１の収納具４と略同じ構成であるので、同じ構成部分については同じ符号を使用し、その説明は省略する。
【００５８】
第１の収納具６２は、図６及び図７に示すように、その収納棚前面側の側面端部に連結具６６を備えており、この連結具６６で第２の収納具６３を連結している（より詳しくは第２の収納具６３の側面端部を連結している）。これによって、第１の収納具６２に、第２の収納具６３を水平回動自在に連結する。このように水平回動自在に連結する場合の連結具６６としては、ヒンジ（蝶番）等を使用する。
【００５９】
なお、図示はしないが、第１の収納具６２と第２の収納具６３を互いに、回動させない固定する連結具によって連結して固定し、一体的に形成された構成としてもよい。或いは、第１の収納具６２と第２の収納具６３の成形の際に、両者が一体成形された構成としてもよい。
【００６０】
図６及び図７に示すように、第２の収納具６３は、第１の収納具６２と同様に、壁部６７と、各種の物品の収納に必要な収納手段６８とが一体に形成されて設けられている。収納手段６８は、上部収納部７１と下部収納部７２を備えている。上部収納部７１は、略コの字型の落下防止バー７３と棚板７４から成る。また、下部収納部７２は、略コの字型の落下防止バー７７と棚板７８から成る。
【００６１】
以上の構成から成る実施例２の浴室収納部材６１において、図６に示すように、第１の収納具６２には、実施例１の収納具４と同様に、円筒状の容器５２、チューブ５１、ひげ剃り５３等が収納できる。さらに、第２の収納具６３にも、チューブ５１等の小物品が収納できるので、収納量が増加する。
【００６２】
また、実施例２の浴室収納部材６１では、第２の収納具６３は、第１の収納具６２に対して水平回動自在に連結されているので、常時は、第２の収納具６３を図６に示す状態とすることで、正面に向いた第２の収納具６３に物品を出し入れし易くできるとともに、収納棚３（特に下の収納棚３）における第２の収納具６３の背面側に物品を隠すように収納できる。
【００６３】
そして、第２の収納具６３を、図６に示す状態から手前側に回動して開けば、収納棚３における第２の収納具６３の背面側へ収納する物品の出し入れも容易となる。
【００６４】
（実施例３）
上記実施例１の収納具４及び実施例２の第１の収納具６２の落下防止バー２８、３５について、また実施例２の第２の収納具６３の落下防止バー７３、７７について、それぞれその側方の一部を切り欠いた構成とすれば、側方から、落下防止バー内に物品の出し入れをし易くなる。
【００６５】
このように落下防止バーの側方の一部を切り欠いた落下防止バーを、実施例１の浴室収納部材１及び実施例２の浴室収納部材６１のいずれに適用してもよいが、ここでは、実施例２の浴室収納部材６１に適用した構成を、実施例３として、図８及び図９において説明する。
【００６６】
実施例３の浴室収納部材８１は、実施例２の浴室収納部材６１と略同様の構成であり、第１の収納具８２と第２の収納具８３を備えている。第１の収納具８２の上部収納部８４の落下防止バー８５は、両側に切り欠き部８６を備え、全体として平面視で略Ｔ字型に形成されている。                                       
【００６７】
これは、図７に示す実施例２の第１の収納具６２の上部収納部２６における、落下防止バー２８のＵ字型部３０及び矩形部３１のそれぞれが壁部１１に接続する側方の部分が切り欠かれて成る構成に相当する。                            
【００６８】
また、第１の収納具８２の下部収納部８８の落下防止バー８９は、中央に仕切りバー９０を有し、両側に切り欠き部９１を備え、全体として平面視で略Ｔ字型に形成されている。これは、図７に示す実施例２の第１の収納具６２において、下部収納部２７の略コの字型の落下防止バー３５が、壁部１１に接続する側方の部分が切り欠かれたものにおいて、中央に仕切りバー９０を設けて成る構成に相当する。
【００６９】
さらに、第２の収納具８３の上部収納部９４の落下防止バー９５及び下部収納部９８の落下防止バー９９は、それぞれ片側に切り欠き部１００を有し、全体として平面視で略Ｌ字型に形成されている。
【００７０】
これは、図７に示す実施例２の第２の収納具６３において、上部収納部７１の略コの字型の落下防止バー７３及び下部収納部７２の略コの字型の落下防止バー７７が、それぞれ壁部６７に接続する一側の部分が切り欠かれた構成に相当する。なお、図示はしないが、第１の収納具８２と第２の収納具８３は、実施例２と同様に、水平回動可能に連結された構成に限定されるものではなく、互いに一体的又は一体に形成された構成としてもよい。
【００７１】
以上の構成から成る実施例３の浴室収納部材８１によると、落下防止バー８５、８９、９５、９９は、それぞれ側方の部分が切り欠かれているので、上下方向だけからでなく、側方から物品の出し入れをすることができるので、使い勝手を良い。
【００７２】
（実施例４）
本発明に係る浴室収納部材の実施例１〜３では、物品を引っ掛けるフックとして機能する引っ掛け部を壁部１１の下部に設けたが、引っ掛け部は、壁部１１の上部または中央部等、下部以外の箇所に形成してもよい。そのような構成の一例として、実施例４を図１０に示す。
【００７３】
この実施例４の浴室収納部材１０１は、実施例１と略同じ構成であり、同じ構成部分については同じ符号を使用し、その説明は省略する。実施例４の浴室収納部材１０１は、実施例１の浴室収納部材１において、その収納具４の引っ掛け部１９より上方の壁部１１に別の引っ掛け部１０２を設けて成る構成に相当する。引っ掛け部１０２は、その一端に凸部１０３が形成されている。
【００７４】
このように別の引っ掛け部１０２を設けた収納具を図１０において、収納具１０６として示す。収納具１０６を収納棚３に掛けて使用すると、例えば、図１０に示すように、洗浄ブラシ１０７を収納具１０６に収納することができる。具体的には、洗浄ブラシ１０７の紐１０８を凸部１０３に掛けることで収納する。なお、引っ掛け部１０２は、実施例２及び実施例３において、それぞれ第１の収納具及び第２の収納具のいずれに設けてもよい。
【００７５】
以上、本発明に係る浴室収納部材を実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００７６】
本発明に係る浴室収納部材は上記のような構成であるから、浴室だけでなく、洗面室等、キッチン、その他の室に設置された、既設及び新設の収納棚の側面もしくは前面に収納具を装着した構成として適用可能である。
【符号の説明】
【００７７】
１  浴室収納部材                                                      
２  浴室壁面                                                          
３  収納棚                                                            
４  収納具                                                            
５  鏡                                                                
７  収納棚の側面                                                      
８  収納棚の前面                                                      
１１  壁部                                                            
１２  引っ掛け固定部                                                  
１３  収納手段                                                        
１４  引っ掛け具                                                      
１７  収納部                                                          
１８  スポンジ挟み込み部                                              
１９  引っ掛け部                                                      
２２  収納棚の側壁                                                    
２３  係合片                                                          
２６  上部収納部                                                      
２７  下部収納部                                                      
２８  上部収納部の落下防止バー                                        
２９  上部収納部の棚板                                                
３０  上部収納部の落下防止バーのＵ字型部                              
３１  上部収納部の落下防止バーの矩形部                                
３２  上部収納部の落下防止バーのＵ字型部の前端部                      
３３  上部収納部の落下防止バーの矩形部の前端部                        
３４  上部収納部の棚板の前端部                                        
３５  下部収納部の落下防止バー                                        
３６  下部収納部の落下防止バーの前端部                                
３７  下部収納部の棚板                                                
３８  下部収納部の棚板の前端部                                        
４１、４２  金型の抜き孔                                              
４３  スポンジ挟み込み部の挟み込み板                                  
４４  スポンジ                                                        
４５  挟み込み板の凸部                                                
４９  引っ掛け部の孔                                                  
５０  スプレー                                                        
５１  チューブ                                                        
５２  円筒状の容器                                                    
５３  ひげ剃り                                                        
６１  浴室収納部材                                                    
６２  第１の収納具                                                    
６３  第２の収納具                                                    
６６  連結具                                                          
６７  壁部                                                            
６８  収納手段                                                        
７１  上部収納部                                                      
７２  下部収納部                                                      
７３  上部収納部の落下防止バー                                        
７４  上部収納部の棚板                                                
７７  下部収納部の落下防止バー                                        
７８  下部収納部の棚板                                                
８１  浴室収納部材                                                    
８２  第１の収納具                                                    
８３  第２の収納具                                                    
８４  第１の収納具の上部収納部                                        
８５  第１の収納具の上部収納部の落下防止バー                          
８６  第１の収納具の上部収納部の落下防止バーの切り欠き部              
８８  第１の収納具の下部収納部                                        
８９  第１の収納具の下部収納部の落下防止バー                          
９０  第１の収納具の下部収納部の落下防止バー仕切りバー                
９１  第１の収納具の下部収納部の落下防止バーの切り欠き部              
９４  第２の収納具の上部収納部                                        
９５  第２の収納具の上部収納部の落下防止バー                          
９８  第２の収納具の下部収納部                                        
９９  第２の収納具の下部収納部の落下防止バー 
１００  第２の収納具の上部収納部及び下部収納部の落下防止バーの切り欠き部
１０１  浴室収納部材
１０２  引っ掛け部
１０３  引っ掛け部の凸部
１０６  収納具
１０７  洗浄ブラシ
１０８  洗浄ブラシの紐
【図１】
2015084784.tif 000003
【図２】
2015084784.tif 000004
【図３】
2015084784.tif 000005
【図４】
2015084784.tif 000006
【図５】
2015084784.tif 000007
【図６】
2015084784.tif 000008
【図７】
2015084784.tif 000009
【図８】
2015084784.tif 000010
【図９】
2015084784.tif 000011
【図１０】
2015084784.tif 000012